(57)【要約】【課題】ヘッドライトの大きさや形状に関する制約を減らすとともに、リフレクタの面積を拡大してヘッドライトの視認性や放熱性を向上させる。【解決手段】機体前部に設けられるボンネットカバー１４の前端部にヘッドライト１５を備える乗用田植機１において、ヘッドライト１５は、光源１８と、光源１８の光を反射させるリフレクタ１９と、光源１８及びリフレクタ１９を覆う透光性のライトカバー２０とを備え、リフレクタ１９の外側面前端を、ボンネットカバー１４の前端よりも前方まで延出させた。【選択図】図８
2015185324.tif 000002
【特許請求の範囲】
【請求項１】
機体前部に設けられるボンネットカバーの前端部にヘッドライトを備える移植機において、
前記ヘッドライトは、
光源と、
光源の光を反射させるリフレクタと、
光源及びリフレクタを覆う透光性のライトカバーとを備え、
リフレクタの外側面前端を、ボンネットカバーの前端よりも前方まで延出させたことを特徴とする移植機。
【請求項２】
前記リフレクタに、２つ以上のライト収容部を構成し、
少なくとも１つのライト収容部に、前記光源を配置する一方、
少なくともその他１つのライト収容部に、光の反射で擬似的に発光する反射鏡からなるダミーライトを配置し、
さらに、ライトカバーの内面に反射した光源の光をダミーライトに導く光誘導経路を備えることを特徴とする請求項１に記載の移植機。
【発明の詳細な説明】
【技術分野】
【０００１】
本発明は、乗用田植機などの移植機に関する。
【背景技術】
【０００２】
一般に、乗用田植機などの移植機は、機体前部に設けられるボンネットカバーの前端部にヘッドライトを備えている。例えば、特許文献１に示される乗用田植機は、ボンネットカバーの前端部に左右一対のヘッドライトを備え、左右のヘッドライト間には通気性を有するセンターカバーが配置されている。
【先行技術文献】
【特許文献】
【０００３】
【特許文献１】特開２０１３−７４８０８号公報
【発明の概要】
【発明が解決しようとする課題】
【０００４】
近年、エンジンの能力アップに伴うエンジンの大型化やエンジンの前後位置変更に起因し、ボンネットカバー内におけるヘッドライトの配置スペースが減少傾向にある。そのため、ヘッドライトの大きさや形状に制約を受けるだけでなく、リフレクタの面積を十分に確保することができず、ヘッドライトの視認性や放熱性が低下するという問題が生じていた。
【０００５】
また、ヘッドライトには、光源及びリフレクタを覆う透光性のライトカバーが設けられており、光源から照射される多くの光は、ライトカバーを透過して機体前方を照らすが、一部の光は、ライトカバーの内面で反射してロスになるという問題があった。
【０００６】
なお、ヘッドライトの視認性は、１つのヘッドライトに複数の光源を配置すれば向上させることが可能であるが、１つのヘッドライトに複数の光源を配置すると、コストが上昇するだけでなく、発熱量が増加するという問題があった。
【課題を解決するための手段】
【０００７】
本発明は、上記の如き実情に鑑みこれらの課題を解決することを目的として創作されたものであって、機体前部に設けられるボンネットカバーの前端部にヘッドライトを備える移植機において、前記ヘッドライトは、光源と、光源の光を反射させるリフレクタと、光源及びリフレクタを覆う透光性のライトカバーとを備え、リフレクタの外側面前端を、ボンネットカバーの前端よりも前方まで延出させたことを特徴とする。
また、前記リフレクタに、２つ以上のライト収容部を構成し、少なくとも１つのライト収容部に、前記光源を配置する一方、少なくともその他１つのライト収容部に、光の反射で擬似的に発光する反射鏡からなるダミーライトを配置し、さらに、ライトカバーの内面に反射した光源の光をダミーライトに導く光誘導経路を備えることを特徴とする。
【発明の効果】
【０００８】
請求項１の発明によれば、リフレクタの外側面前端を、ボンネットカバーの前端よりも前方まで延出させたので、ボンネットカバーの前方空間を利用してヘッドライトを配置でき、その結果、ヘッドライトの大きさや形状に関する制約を減らせるだけでなく、リフレクタの面積を拡大してヘッドライトの視認性や放熱性を向上させることができる。
また、請求項２の発明によれば、リフレクタに２つ以上のライト収容部を構成し、少なくとも１つのライト収容部に反射鏡からなるダミーライトを配置するとともに、該ダミーライトに光源の光を誘導して擬似的に発光させるので、光のロスを抑制できるだけでなく、光源の個数を削減してコストダウンが図れ、さらには、ヘッドライトの発熱量も抑えることができる。
【図面の簡単な説明】
【０００９】
【図１】乗用田植機の側面図である。
【図２】乗用田植機の平面図である。
【図３】（ａ）は乗用田植機の機体前部を示す側面図（ボンネットカバー仮想線）、（ｂ）は乗用田植機の機体前部を示す平面図（ボンネットカバー仮想線）である。
【図４】（ａ）は乗用田植機の機体前部を示す側面図（ボンネットカバーなし）、（ｂ）は乗用田植機の機体前部を示す平面図（ボンネットカバーなし）である。
【図５】ボンネットカバーの斜視図である。
【図６】（ａ）はボンネットカバーの正面図、（ｂ）はボンネットカバーの後面図である。
【図７】ボンネットカバーの側面図である。
【図８】ボンネットカバーの平面図である。
【図９】ボンネットカバーの下面図である。
【図１０】（ａ）はヘッドライトの正面図、（ｂ）はヘッドライトの側面図、（ｃ）はヘッドライトの正面図（ライトカバーなし）、（ｄ）はヘッドライトの側面図（ライトカバーなし）である。
【図１１】（ａ）はヘッドライトの平面図、（ｂ）はヘッドライトの斜視図、（ｃ）はヘッドライトの平面図（ライトカバーなし）、（ｄ）はヘッドライトの斜視図（ライトカバーなし）である。
【図１２】（ａ）はヘッドライトの正面図、（ｂ）はヘッドライトのＸ−Ｘ断面図である。
【発明を実施するための形態】
【００１０】
以下、本発明の実施の形態について、図面に基づいて説明する。図１及び図２において、１は乗用田植機（移植機）であって、該乗用田植機１は、走行機体２と、該走行機体２の後部に昇降リンク機構３を介して昇降自在に連結される植付作業部４とを備えて構成されている。
【００１１】
走行機体２は、機体前部に搭載されるエンジンＥ（図３及び図４参照）、エンジン動力を変速するトランスミッションケース５、前輪６を支持するフロントアクスルケース（図示せず）、後輪７を支持するリヤアクスルケース７ａ、オペレータが乗車する運転部８、機体上の移動を可能にするサイドステップ９、メインステップ１０、リヤステップ１１などを備える。
【００１２】
図３及び図４に示すように、機体前部には、エンジンＥを搭載するエンジン搭載部１２が構成されている。本実施形態のエンジンＥは、空冷ガソリンエンジンであり、その動力は伝動ベルト１３を介してトランスミッションケース５に入力される。また、エンジン搭載部１２の前方、上方及び左右両側方は、ボンネットカバー１４で覆われており、該ボンネットカバー１４を開閉又は着脱操作すれば、エンジン搭載部１２が開放されてエンジンＥなどのメンテナンスを行なうことが可能になる。
【００１３】
図５〜図９に示すように、ボンネットカバー１４は、エンジン搭載部１２の前方を覆う前面部１４ａと、エンジン搭載部１２の上方を覆う上面部１４ｂと、エンジン搭載部１２の左右両側方を覆う側面部１４ｃとを一体的に備え、前面部１４ａ及び側面部１４ｃには、それぞれ開口部１４ｄ、１４ｅが形成されている。
【００１４】
前面部１４ａの開口部１４ｄは、左右方向に幅広に形成されており、その左右両端部に左右一対のヘッドライト１５が設けられるとともに、左右のヘッドライト１５間に通気性を有するセンターカバー１６が設けられる。例えば、本実施形態のヘッドライト１５は、センターカバー１６と一緒にボンネットカバー１４の内側から開口部１４ｄに嵌め込み状に取付けられ、複数箇所でボンネットカバー１４に固定される。また、側面部１４ｃには、複数の開口部１４ｄが形成されており、各開口部１４ｄが通気性を有するサイドカバー１７で覆われている。
【００１５】
つぎに、本発明の要部であるヘッドライト１５について、図１０〜図１２を参照して説明する。
【００１６】
図１０〜図１２に示すように、ヘッドライト１５は、ハロゲンランプなどの光源１８と、光源１８の光を反射させるリフレクタ１９と、光源１８及びリフレクタ１９を覆う透光性のライトカバー２０とを備えて構成されている。
【００１７】
本実施形態のリフレクタ１９は、光源１８などが配置されるライト収容部１９ａ、１９ｂを上下２段に有する。各ライト収容部１９ａ、１９ｂは、正面視四角形（菱形）の凹部であり、内部に配置された光源１８の光を前方に反射させる。上下２段のライト収容部１９ａ、１９ｂは、リフレクタ１９の外側面１９ｃなどを介して一体的に連結され、リフレクタ１９の後端部に突設される複数の取付部１９ｄを介してボンネットカバー１４に固定される。
【００１８】
リフレクタ１９の外側面１９ｃは、ボンネットカバー１４の前面部１４ａに形成される開口部１４ｄの左右両端部から前方に突出するとともに、その前端は、図８に示すように、ボンネットカバー１４の前端外縁（前端下縁）よりも前方まで延出している。このようにすると、ボンネットカバー１４の前方空間を利用してヘッドライト１５を配置できるので、ヘッドライト１５の大きさや形状に関する制約を減らせるだけでなく、リフレクタ１９の面積、特に外側面１９ｃの面積を拡大してヘッドライト１５の視認性や放熱性を向上させることができる。
【００１９】
本実施形態のヘッドライト１５では、下側のライト収容部１９ｂに光源１８を配置する一方、上側のライト収容部１９ａには、光の反射で擬似的に発光する反射鏡（例えば、凸面鏡や平面鏡）からなるダミーライト２１を配置している。ここでダミーライト２１の反射面は、光源１８の光を機体前方に反射させるように向きが設定されるが、地面に対して垂直とせず、所定の角度だけ下向きに傾斜させれば、反射光で地面を照らすことができる。また、図１２に示すように、上側のライト収容部１９ａと下側のライト収容部１９ｂとの間には、ライトカバー２０の内面に反射した光源１８の光をダミーライト２１に導く光誘導経路Ｋが形成されている。例えば、光源１８から上方に照射される光を、全反射に近い角度で反射させる反射面をライトカバー２０の内面に設け、ここで反射した光をダミーライト２１に照射させ、ダミーライト２１を擬似的に発光させる。
【００２０】
つまり、リフレクタ１９に２つ以上のライト収容部１９ａ、１９ｂを構成してヘッドライト１５の視認性を向上させるにあたり、一方のライト収容部１９ａに反射鏡からなるダミーライト２１を配置するとともに、該ダミーライト２１に光源１８の光を誘導して擬似的に発光させるので、光のロスを抑制できるだけでなく、光源１８の個数を削減してコストダウンが図れ、さらには、ヘッドライト１５の発熱量も抑えることができる。
【００２１】
ちなみに、本実施形態では、図１２の（ｂ）に示すように、リフレクタ１９の前面部が前低後高状に傾斜、つまり、下側ライト収容部１９ｂの下側前端位置１９ｅよりも下側ライト収容部１９ｂの上側前端位置１９ｆが後側に位置し、下側ライト収容部１９ｂの上側前端位置１９ｆよりも上側ライト収容部１９ａの下側前端位置１９ｇが後側に位置し、上側ライト収容部１９ａの下側前端位置１９ｇよりもダミーライト２１が後側に位置し、ダミーライト２１よりも上側ライト収容部１９ａの上側前端位置１９ｈが後側に位置するように構成されるとともに、リフレクタ１９の前面部と所定の間隔を存して対向するライトカバー２０の内面が前低後高状の傾斜を有する。これにより、光源１８から上方に照射される光Ａ１、Ａ２、Ａ３は、ライトカバー２０の内面に反射してダミーライト２１に到達し、ダミーライト２１を擬似的に発光させる。また、図１２の（ａ）に示すように、光源１８からダミーライト２１に誘導される光は、Ａ方向の光に限らず、左右に拡散したＢ方向やＣ方向の光も含まれる。
【００２２】
なお、本実施形態のヘッドライト１５では、少なくとも１つのダミーライト２１を設けるにあたり、ライト収容部１９ａ、１９ｂを２つ設けているが、ライト収容部１９ａ、１９ｂの数は３以上であってもよい。また、光源１８やダミーライト２１の数も１つに限定されず、２つ以上の光源１８やダミーライト２１を備えてもよい。
【００２３】
叙述の如く構成された本実施形態によれば、機体前部に設けられるボンネットカバー１４の前端部にヘッドライト１５を備える乗用田植機１において、ヘッドライト１５は、光源１８と、光源１８の光を反射させるリフレクタ１９と、光源１８及びリフレクタ１９を覆う透光性のライトカバー２０とを備え、リフレクタ１９の外側面前端を、ボンネットカバー１４の前端よりも前方まで延出させたので、ボンネットカバー１４の前方空間を利用してヘッドライト１５を配置でき、その結果、ヘッドライト１５の大きさや形状に関する制約を減らせるだけでなく、リフレクタ１９の面積を拡大してヘッドライト１５の視認性や放熱性を向上させることができる。
【００２４】
また、リフレクタ１９に、２つ以上のライト収容部１９ａ、１９ｂを構成し、少なくとも１つのライト収容部１９ｂに、光源１８を配置する一方、少なくともその他１つのライト収容部１９ａに、光の反射で擬似的に発光する反射鏡からなるダミーライト２１を配置し、さらに、ライトカバー２０の内面に反射した光源１８の光をダミーライト２１に導く光誘導経路Ｋを備えるので、複数のライト収容部１９ａ、１９ｂを備えるヘッドライト１５でありながら、光のロスを抑制できるだけでなく、光源１８の個数を削減してコストダウンが図れ、さらには、ヘッドライト１５の発熱量も抑えることができる。
【符号の説明】
【００２５】
１      乗用田植機
２      走行機体
１２    エンジン搭載部
１４    ボンネットカバー
１５    ヘッドライト
１６    センターカバー
１８    光源
１９    リフレクタ
１９ａ  ライト収容部
１９ｂ  ライト収容部
１９ｃ  外側面
２０    ライトカバー
２１    ダミーライト
Ｋ      光誘導経路
【図１】
2015185324.tif 000003
【図２】
2015185324.tif 000004
【図３】
2015185324.tif 000005
【図４】
2015185324.tif 000006
【図５】
2015185324.tif 000007
【図６】
2015185324.tif 000008
【図７】
2015185324.tif 000009
【図８】
2015185324.tif 000010
【図９】
2015185324.tif 000011
【図１０】
2015185324.tif 000012
【図１１】
2015185324.tif 000013
【図１２】
2015185324.tif 000014